(57)【要約】【課題】  円盤状の記録媒体が挿入される開口部に対して開閉可能な蓋を設けない電子機器において、部品点数を削減しつつその開口部全体を照らす照明装置を提供する。【解決手段】  オーディオ装置は、長尺状の挿入口１に挿入されたＣＤの情報を読み取って再生するものであり、挿入口１の長手方向の１辺に沿って設けられ、光を透過させる透過部材９と、オーディオ装置の内部から透過部材９に向かって光を出射することで、透過部材９から当該挿入口１の内側に向けて光を放射させるＬＥＤ１３と、挿入口１の透過部材９に対向する辺に沿って設けられ、透過部材９を透過してきた光を反射させる反射部材１５とを備えている。そして、本装置では、ＬＥＤ１３が光を出射すると、透過部材９がその光を透過させることにより挿入口１を照らし、反射部材１５が透過部材９を透過してきた光を反射させることにより挿入口１を照らす。【選択図】  図２
2005335420.tif 000002
【特許請求の範囲】
【請求項１】
円盤状の記録媒体を挿入するために形成された長尺状の開口部を備え、該開口部から挿入された記録媒体から情報を読み取る電子機器において、前記開口部を照らす照明装置であって、
前記開口部の長手方向の１辺に沿って設けられ、光を透過させる材料からなる透過部材と、
前記電子機器の内部から前記透過部材に向かって光を出射することで、該透過部材から当該開口部の内側に向けて光を放射させる発光手段と、
前記開口部において前記透過部材に対向する辺に沿って設けられ、前記透過部材を透過してきた光を反射させる反射部材と、
を備えたことを特徴とする照明装置。
【請求項２】
前記反射部材は、少なくとも前記開口部手前の端縁部分が、前記電子機器の内側から外側へ向かって、前記透過部材との間隔が広くなるように傾斜していること、
を特徴とする請求項１に記載の照明装置。
【請求項３】
前記透過部材の両端には、前記開口部において前記透過部材に垂直な一対の辺に沿って、光を透過させるための突出部がそれぞれ形成されていること、
を特徴とする請求項１又は請求項２に記載の照明装置。
【請求項４】
前記反射部材は、合成樹脂の表面に金属を蒸着することによって形成されていること、
を特徴とする請求項１ないし請求項３の何れか１項に記載の照明装置。
【請求項５】
前記反射部材は、合成樹脂の表面を鏡面加工することによって形成されていること、
を特徴とする請求項１ないし請求項３の何れか１項に記載の照明装置。
【発明の詳細な説明】
【技術分野】
【０００１】
本発明は、長尺状の開口部から挿入された円盤状の記録媒体から情報を読み取る電子機器において、その開口部を照らす照明装置に関する。
【背景技術】
【０００２】
従来より、例えば、カーオーディオやナビゲーションシステムなどの車載用電子機器には、夜間操作時、ＭＤ，ＣＤ，ＤＶＤ等の記録媒体が挿入される長尺状の開口部を使用者に認識し易くさせるために、その開口部を照らす照明装置が設けられている。
【０００３】
そして、この種の照明装置のうち、ＣＤやＤＶＤ等の円盤状の記録媒体が挿入される開口部を照らす照明装置として、光透過性の樹脂を、開口部において互いに対向する２辺に沿って夫々設け、各樹脂の近くに夫々配置されたＬＥＤ（Light Emitting Diode：発光ダイオード）からその樹脂に向かって光を出射させることで、その樹脂から開口部の内側に光を放射させて、開口部全体を照らすものが知られている。
【０００４】
一方、ＭＤが挿入されるＭＤ開口部を照らす照明装置としては、ＭＤ開口部に対して開閉可能に設けられた開閉蓋を透過性の樹脂で構成し、ＭＤ開口部から挿入されたＭＤを電子機器内へ通過させるための金属板と、上記開閉蓋との両方に向かって、電子機器内においてＭＤ開口部上方に配置されたＬＥＤから光を出射させることにより、開閉蓋全体を照らし、その結果、ＭＤ開口部を使用者に認識し易くさせるものも知られている（例えば、特許文献１参照）。尚、ＬＥＤから金属板に向かって出射された光は、開閉蓋とＭＤ開口部との隙間に向かって反射する。
【特許文献１】特開２００３−１４６１３２号公報
【発明の開示】
【発明が解決しようとする課題】
【０００５】
ところで、上述した円盤状の記録媒体用の照明装置は、開口部の両側から光を出射することで開口部全体を照らしているため、上述したＭＤ用の照明装置と比較すると、ＬＥＤを開口部の両側に設ける分、部品点数が多くなってしまう。
【０００６】
一方、ＭＤ用の照明装置は、ＭＤ開口部の一方から光を出射することでＭＤ開口部（詳しくは、開閉蓋）を照らしているため、円盤状の記録媒体用の照明装置よりも部品点数を減らすことができる。しかし、ＭＤ用の照明装置は、開閉蓋に光を照射することでＭＤ開口部を照らしているため、円盤状の記録媒体用の照明装置のように開閉蓋を備えていないものには適用することができない。
【０００７】
本発明は、上記問題を解決するためになされたものであり、開口部に開閉蓋を設けない電子機器において、部品点数を削減しつつその開口部全体を照らす照明装置を提供することを目的としている。
【課題を解決するための手段】
【０００８】
上記目的を達成するためになされた請求項１に記載の照明装置は、円盤状の記録媒体を挿入するために形成された長尺状の開口部から挿入された記録媒体から情報を読み取る電子機器において、その開口部を照らすものである。
【０００９】
そして、請求項１の照明装置では、発光手段が、電子機器の内部から透過部材に向かって光を出射すると、透過部材が、当該開口部の内側に向けて光を放射することで開口部を照らし、反射部材が、透過部材を透過してきた光を反射させることで開口部を照らす。
【００１０】
以上のような請求項１の照明装置によれば、開口部に開閉蓋が設けられていなくても、開口部全体を照らすことができる。即ち、請求項１の照明装置は、従来のＭＤ用の照明装置のように、開閉蓋を照射することで開口部全体を照らすのではなく、発光手段からの光を透過部材で透過させ、更にその透過光を反射部材で反射させることで、開口部全体を照らすものであるため、開閉蓋を設けないものにも適用することができる。
【００１１】
更に、請求項１の照明装置によれば、従来の円盤状の記録媒体用の照明装置のように、開口部の両側に発光手段を夫々設けなくても、開口部全体を充分に照らすことが可能となる。このため、従来の円盤状の記録媒体用の照明装置よりも部品点数を削減することができる。
【００１２】
また、請求項１の照明装置において、反射部材は、請求項２に記載の如く、少なくとも開口部手前の端縁部分が、電子機器の内側から外側へ向かって、透過部材との間隔が広くなるように傾斜していても良い。
【００１３】
このようにすれば、発光手段が光を出射した際に反射部材の端縁部分によって反射する光は、電子機器の外側へ向かうこととなるため、使用者は、開口部の位置をより確実に認識することができる。
【００１４】
また更に、請求項１又は請求項２の照明装置は、請求項３に記載の如く、透過部材の両端に、開口部において透過部材に垂直な一対の辺に沿って、光を透過させるための突出部をそれぞれ形成していても良い。
【００１５】
このようにすれば、開口部全体をより明るく照らすことが可能となり、使用者は、開口部の位置をより確実に認識することができる。
ところで、反射部材の材料としては、合成樹脂を利用しても良く、金属を利用しても良いが、合成樹脂の方が金属よりも軽いため、反射部材は、合成樹脂から形成することが好ましい。
【００１６】
そして、合成樹脂から反射部材を形成する場合は、合成樹脂をそのまま用いても光が反射しないため、例えば、請求項５に記載の如く、合成樹脂の表面に金属を蒸着するか、あるいは、請求項６に記載の如く、合成樹脂の表面を鏡面加工するようにすれば良い。
【００１７】
このようにすれば、合成樹脂の表面で光を反射させることができる。
【発明を実施するための最良の形態】
【００１８】
以下に、本発明が適用された実施形態を図面に基づいて説明する。尚、図１は、本発明が適用された実施形態のオーディオ装置を表す概略構成図である。また、本実施形態のオーディオ装置は、例えば車両に搭載されるものである。
【００１９】
オーディオ装置は、長尺状の挿入口（開口部に相当）１に直接挿入されたＣＤの情報を読み取ることでそのＣＤの再生等を行うものであり、図１に示すように、挿入口１を有して当該装置の外形をなす筐体３と、当該装置の動作状態を表示するディスプレイ５と、使用者によって操作される各種ボタン７と、を備えている。
【００２０】
更に、オーディオ装置は、挿入口１に、図２に示すような照明装置を備えている。尚、図２は、オーディオ装置の内部構成を説明する説明図であり、図２（ａ）は、その正面図で、図２（ｂ）は、図２（ａ）のＺ−Ｚ’における断面図である。また、図２において、点線の矢印は、光の進路を模式的に示したものである。また、以下の説明において、上下左右等、方向に関する表現は、図２における方向である。
【００２１】
次に、照明装置について説明する。
照明装置は、挿入口１を照らすためのものであり、図２に示すように、挿入口１の長手方向の２辺のうち、下方の辺に沿って透過部材９を備えている。
【００２２】
また、オーディオ装置（詳しくは、筐体３）の内部にて透過部材９の下側には、挿入口１の長手方向の辺に平行となるように、基板１１が配置されており、その基板１１には、挿入口１の長手方向に対して一列に並ぶように、ＬＥＤ（発光手段に相当）１３が装着されている。
【００２３】
また、挿入口１において透過部材９に対向する辺（即ち、挿入口１の長手方向の２辺のうち、上方の辺）には、その辺に沿って反射部材１５が設けられている。
次に、透過部材９，ＬＥＤ１３，及び反射部材１５について説明する。
【００２４】
まず、透過部材９は、透明もしくは半透明のアクリル樹脂からなる。また、透過部材９は、光が入射されると、その光を拡散させつつ透過させるように構成されている。
そして、透過部材９の両端には、挿入口１において透過部材９に垂直な一対の辺に沿って、上記アクリル樹脂からなる突出部９ａが形成されている。
【００２５】
また、透過部材９は、挿入口１手前の端縁部分が、筐体３の内側から外側へ向かって、開口部分（即ち、ＣＤが挿入口１と筐体３の内部との間を通る通過口）が広くなるように傾斜している。
【００２６】
次に、ＬＥＤ１３は、透過部材９に向かって光を出射することで、透過部材９から当該挿入口１の内側に向けて光を放射させる。
次に、反射部材１５は、透過部材９と同じアクリル樹脂からなるが、その表面に金属が蒸着されている。このため、反射部材１５は、透過部材９を透過してきた光を反射させる。
【００２７】
また、反射部材１５は、挿入口１手前の端縁部分が、筐体３の内側から外側へ向かって上記開口部分が広くなるように傾斜している。
以上のような構成のオーディオ装置では、まずＬＥＤ１３が光を出射すると、その光が透過部材９に入射される。すると、透過部材９は、その入射された光を、透過部材９内部を通り抜けない光と、透過部材９を通り抜ける光とに分散する。そして、透過部材９は、その内部を通り抜けなかった光を拡散させて当該透過部材９全体を照らすことで挿入口１を照らし、反射部材１５は、透過部材９を通り抜けてきた光を反射させることで挿入口１を照らす。つまり、本実施形態では、ＬＥＤ１３が光を出射すると、透過部材９及び反射部材１５が挿入口１全体を照らす。
【００２８】
尚、透過部材９がＬＥＤ１３からの光により挿入口１を照らしている状態では、透過部材９が挿入口１を照らしている部分のうち、透過部材９を含む周囲の部分が最も明るくなる。一方、反射部材１５が透過部材９を透過してきた光を反射させることで挿入口１を照らしている状態では、反射部材１５が挿入口１を照らしている部分のうち、反射部材１５を含む周囲の部分が最も明るくなる。
【００２９】
よって、本実施形態によれば、挿入口１に上記開閉蓋が設けられていなくても、挿入口１全体を照らすことができる。即ち、本照明装置は、従来のＭＤ用の照明装置のように、開閉蓋を照射することで挿入口１全体を照らすのではなく、ＬＥＤ１３からの光を透過部材９で透過させ、更にその透過光を反射部材１５で反射させることで、挿入口１全体を照らすものであるため、開閉蓋を設けないものにも適用することができる。
【００３０】
更に、本実施形態によれば、従来の円盤状の記録媒体用の照明装置のように、挿入口１の両側にＬＥＤ１３を夫々設けなくても、挿入口１全体を充分に照らすことが可能となる。このため、従来の円盤状の記録媒体用の照明装置よりも部品点数を削減することができる。
【００３１】
また、本実施形態では、反射部材１５の挿入口１手前の端縁部分に、筐体３の内側から外側へ向かって開口部分が広くなるような傾斜を形成しているため、透過部材９を透過してきた光をオーディオ装置の外側へ向かって反射させることができる。よって、使用者は、挿入口１の位置をより確実に認識することができる。
【００３２】
以上、本発明の一実施形態について説明したが、本発明は、種々の形態を採り得ることは言うまでもない。
本実施形態では、オーディオ装置の挿入口１を照らすための光源としてＬＥＤ１３を用いたが、これに限らず、光源は、例えば蛍光灯のように光を出射するものであれば何でも良い。
【００３３】
また、透過部材９の材質は、アクリル樹脂に限らず、例えばガラスやエポキシ樹脂等の透過性のあるものであれば何でも良い。
また、反射部材１５の表面を、金属で蒸着せずに、鏡面加工しても良い。この場合でも、反射部材１５は、透過部材９を透過した光を反射させることができる。
【図面の簡単な説明】
【００３４】
【図１】実施形態のオーディオ装置を表す概略構成図である。
【図２】同オーディオ装置の内部構成を説明する説明図である。
【符号の説明】
【００３５】
１…挿入口、３…筐体、５…ディスプレイ、７…ボタン、９…透過部材、９ａ…突出部、１１…基板、１３…ＬＥＤ、１５…反射部材
【図１】
2005335420.tif 000003
【図２】
2005335420.tif 000004